(57)【要約】【課題】プレテンション方式によりプレストレストコンクリート部材を製作する際に、大型の緊張器具を用いなくても定着可能な小型の治具を使用して定着長Ｌを短くする。【解決手段】プレストレス導入治具１０は、プレストレストコンクリート部材製作時のプレテンション方式によるプレストレスの導入の際に、効率的にコンクリートに圧縮力を導入するためにＰＣ鋼材４００の定着性能を高める鋼製のプレストレス導入治具であって、ＰＣ鋼材４００の軸方向（長手方向）に沿って組み合わせられる、スリーブ１００とクサビ２００とキャップ３００とを大略的な構成要素として備える。このスリーブ１００は、外筒面１２０において、キャップ側に雄ねじ部１２２を備える。キャップ３００は、雄ねじ部１２２に螺合する雌ねじ部３１２を備えるとともに、クサビ２００に当接する当接端面３１４を備える。【選択図】図２
2019181704.tif 000002
【特許請求の範囲】
【請求項１】
プレストレストコンクリートのプレテンション方式によりコンクリート部材に圧縮力を導入するための鋼製のプレストレス導入治具であって、
前記プレストレス導入治具は、前記ＰＣ鋼材の軸方向に沿って、スリーブとクサビとキャップとを含み、
前記スリーブは、外筒面において、前記キャップ側に雄ねじ部を備え、
前記キャップは、前記雄ねじ部に螺合する雌ねじ部を備えるとともに、前記クサビに当接する当接端面を備えることを特徴とするプレストレス導入治具。
【請求項２】
前記スリーブは、略中空円筒形状であって、内筒面に設けられＰＣ鋼材の軸方向に向かって漸次拡径するように傾斜する截頭円錐状の内側傾斜面と、前記雄ねじ部とを含み、
前記クサビは、軸方向に垂直な面内において対称な断面を備える複数のクサビ片を含み、前記クサビ片は、截頭半円錐状の傾斜外面を有するとともに断面円弧状の内面を有し、
前記クサビ片における傾斜外面が前記スリーブの内側傾斜面に圧着され、前記クサビ片における断面円弧状の内面にＰＣ鋼材の外面が圧着されて、前記クサビ片が前記ＰＣ鋼材と前記スリーブとの間に圧入され、
前記キャップは、略中空円筒形状であって、前記雄ねじ部に螺合する雌ねじ部を前記略中空円筒の内周面における前記スリーブ側端面から所定の長さだけ備え、前記雌ねじ部を備えない内周面は中心に前記ＰＣ鋼材が通る中心穴を備えるとともに前記クサビ片における拡径側の端面に当接する当接端面を備えることを特徴とする、請求項１に記載のプレストレス導入治具。
【請求項３】
前記キャップは、略中空円筒形状における前記スリーブと螺合する側とは逆の端部がその端面から所定の軸方向長さ分だけ前記軸に平行な第１面で切り欠かれ、前記第１面と前記軸を含む平面を対称面として切り欠かれた第２面とを備えることを特徴とする、請求項１または請求項２に記載のプレストレス導入治具。
【請求項４】
前記スリーブの縮径側端面において前記クサビが当接する部分には、前記コンクリートよりも硬度が低い軟質部材が設けられていることを特徴とする、請求項１〜請求項３のいずれかに記載のプレストレス導入治具。
【発明の詳細な説明】
【技術分野】
【０００１】
本発明は、土木建築分野におけるコンクリート製梁または桁あるいはその他の建築部材等において使用されるプレストレストコンクリート部材等に有利なプレテンション方式によるプレストレス導入治具に関し、特に、大型の緊張器具を用いなくても小型の治具で、定着具（スリーブおよびクサビ）から所定の設計上のプレストレスが導入された部分までの定着長を短くすることのできるプレテンション方式によるプレストレス導入治具に関する。なお、本発明において、ＰＣ鋼材には、ＰＣ鋼線およびＰＣ鋼より線を含む。
【背景技術】
【０００２】
近年、建物のプレキャスト化が進み、駐車場・商業ビル・共同住宅や体育館・学校校舎等の主要構造部材（柱・梁）をプレキャスト化することが多くなってきている。
これらの主要構造部材をコンクリート製でプレキャスト化する場合に、コンクリート部材に圧縮力を導入するようになり、一般に、コンクリート部材にＰＣ鋼材により圧縮力を導入する方式として、（Ａ）ポストテンション方式と、（Ｂ）プレテンション方式が知られている。
【０００３】
（Ａ）のポストテンション方式の場合は、コンクリート部材製造後に、コンクリート部材のシース内にＰＣ鋼材を挿通配置するとともにコンクリート部材の端部に定着具を配置し、ＰＣ鋼材を緊張定着して、コンクリート部材に圧縮力を導入する方式であり、この方式の場合は、現場でのＰＣ鋼材の配線作業、緊張作業、シースとＰＣ鋼材との間の空間へのグラウト作業を必要とし、これらがプレストレストコンクリート部材を高価にしている原因になっている。
【０００４】
（Ｂ）のプレテンション方式では、ＰＣ鋼材を直接コンクリートに埋め込んで定着させるため、（Ａ）のポストテンション方式では必要とされるグラウトは不要で、かつ、（Ａ）のポストテンション方式のような現場での緊張およびグラウト作業の必要がないので、このプレテンション方式によるプレストレストコンクリート部材は、安価であるという利点を有している。
【０００５】
このプレテンション方式を用いてＰＣ鋼材により圧縮力が導入されたプレストレストコンクリート部材を製造する場合、テンションが付与されたＰＣ鋼材を埋め込むようにその周囲にコンクリートを打設して、コンクリート部材内に埋め込み配置されるＰＣ鋼材とコンクリートとの定着を図る形態となる。この場合、ＰＣ鋼材の定着部付近のＰＣ鋼材とコンクリートが完全に定着するまでの区間においては、ＰＣ鋼材によるプレストレス力が一定でないため、ＰＣ鋼材の埋め込み箇所全長にわたってプレストレスを均一に導入することは困難であり、定着端部から中央部方向に、たとえば、ＰＣ鋼材の直径Ｄの４５倍（４５Ｄ）〜６５倍（６５Ｄ）あるいは１００倍（１００Ｄ）の長い距離を、定着長Ｌとして確保することになる。このため、このプレテンション方式の場合には、部材中間部は圧縮力が適切に導入される一方、少なくともこの定着長Ｌ分の部材端部では（所定の圧縮力が導入されておらず）通常のＲＣ部材として設計（ＲＣ設計）されて床などの二次部材として利用されている。このように従来のプレテンション方式によるプレストレストコンクリート部材の場合には、端部の定着長Ｌが長いため、部材中間部の圧縮力を必要とする範囲で適切な圧縮力を導入できなかったり、定着区間（所定の圧縮力が導入されない範囲）で部材を厚くする等の対応範囲が大きくなる等の問題があった。そのため、プレテンション方式による圧縮力の導入方法でこの定着長Ｌを短く制御できると、部材中間部の一定の圧縮力が導入できる区間を長くできて効率的であるだけでなく、定着区間の圧縮力の不足に対する対応範囲も小さくできるため、安価なプレストレストコンクリート部材にすることができ、そのようなプレストレストコンクリート部材が望まれている。
【０００６】
このような問題点に鑑みて、本願出願人を含む出願人により出願された特開２００８−１２６５４４号公報（特許文献１）には、ＰＣ鋼材に導入されている緊張力（プレテンション）に関連させた形態でクサビを圧入して、スリーブをＰＣ鋼材に確実に固定するようにしたプレテンション方式によるプレストレス導入方法が開示されている。このプレテンション方式によるプレストレス導入方法は、内側傾斜面付スリーブと緊張力が導入されたＰＣ鋼材との間にクサビを圧入することでスリーブをＰＣ鋼材に固定し、そのＰＣ鋼材を用いてプレテンション方式によりコンクリートにプレストレスを導入する方法において、ＰＣ鋼材に導入される緊張力の少なくとも５０％の緊張力に相当する圧入力でクサビがスリーブとＰＣ鋼材との間に圧入されて、スリーブがＰＣ鋼材に固定されていることを特徴とする。
【先行技術文献】
【特許文献】
【０００７】
【特許文献１】特開２００８−１２６５４４号公報
【発明の概要】
【発明が解決しようとする課題】
【０００８】
上述した特許文献１に開示されたプレストレス導入方法によると、ＰＣ鋼材に導入される緊張力に対応して、クサビの圧入力を設定してクサビを圧入固定するように施工するのでＰＣ鋼材とクサビとスリーブとの一体化を確実に図ることができる。このため、クサビを緊張力に関係した圧入力で定量化でき、確実にＰＣ鋼材にスリーブを固定することができ、確実なプレストレスが導入されたコンクリート部材とすることができるとともに、スリーブから所定の設計上のプレストレスが導入された部分までの定着長Ｌを確実に短くすることができるという顕著な効果を奏する。
【０００９】
このような顕著な効果を奏する特許文献１に開示されたプレストレス導入方法は、その効果のために広く採用されているという実績を有するものの、クサビ片をＰＣ鋼材とスリーブとの間に緊張力に関係した圧入力で圧入するように固定するための装置としては、たとえば反力体を備えたプレストレス部材用のジャッキを使用する必要がある。すなわち、クサビ片を圧入するために、プレストレス部材用のジャッキを用いるものの反力体を備えなければならない。このため、このジャッキが大きくなるという問題がある。なお、反力体を備えない場合には、２台のジャッキ（プレストレス緊張用およびクサビ圧入用）が必要となり、いずれにしてもジャッキ関係機器の大型化を避けることができない。
【００１０】
本発明は、従来技術の上述の問題点に鑑みて開発されたものであり、その目的とするところは、大型の緊張器具を用いなくても定着可能な小型の治具で、スリーブから所定の設計上のプレストレスが導入された部分までの定着長Ｌを短くすることのできるプレテンション方式によるプレストレス導入治具を提供することである。
【課題を解決するための手段】
【００１１】
上記目的を達成するため、本発明に係るプレテンション方式によるプレストレス導入治具は、以下の技術的手段を講じている。
すなわち、本発明に係るプレテンション方式によるプレストレス導入治具は、プレストレストコンクリートのプレテンション方式によりコンクリート部材に圧縮力を導入するための鋼製のプレストレス導入治具であって、前記プレストレス導入治具は、前記ＰＣ鋼材の軸方向に沿って、スリーブとクサビとキャップとを含み、前記スリーブは、外筒面において、前記キャップ側に雄ねじ部を備え、前記キャップは、前記雄ねじ部に螺合する雌ねじ部を備えるとともに、前記クサビに当接する当接端面を備えることを特徴とする。
【００１２】
好ましくは、前記スリーブは、略中空円筒形状であって、内筒面に設けられＰＣ鋼材の軸方向に向かって漸次拡径するように傾斜する截頭円錐状の内側傾斜面と、前記雄ねじ部とを含み、前記クサビは、軸方向に垂直な面内において対称な断面を備える複数のクサビ片を含み、前記クサビ片は、截頭半円錐状の傾斜外面を有するとともに断面円弧状の内面を有し、前記クサビ片における傾斜外面が前記スリーブの内側傾斜面に圧着され、前記クサビ片における断面円弧状の内面にＰＣ鋼材の外面が圧着されて、前記クサビ片が前記ＰＣ鋼材と前記スリーブとの間に圧入され、前記キャップは、略中空円筒形状であって、前記雄ねじ部に螺合する雌ねじ部を前記略中空円筒の内周面における前記スリーブ側端面から所定の長さだけ備え、前記雌ねじ部を備えない内周面は中心に前記ＰＣ鋼材が通る中心穴を備えるとともに前記クサビ片における拡径側の端面に当接する当接端面を備えるように構成することができる。
【００１３】
さらに好ましくは、前記キャップは、略中空円筒形状における前記スリーブと螺合する側とは逆の端部がその端面から所定の軸方向長さ分だけ前記軸に平行な第１面で切り欠かれ、前記第１面と前記軸を含む平面を対称面として切り欠かれた第２面とを備えるように構成することができる。
さらに好ましくは、前記スリーブの縮径側端面において前記クサビが当接する部分には、前記コンクリートよりも硬度が低い軟質部材が設けられているように構成することができる。
【発明の効果】
【００１４】
本発明に係るプレテンション方式によるプレストレス導入治具を用いると、
大型の緊張器具を用いなくても定着可能な小型の治具で、スリーブから所定の設計上のプレストレスが導入された部分までの定着長Ｌを短くすることができる。
【図面の簡単な説明】
【００１５】
【図１】本発明の実施の形態に係るプレテンション方式によるプレストレス導入治具の概略構成を説明するための図である。
【図２】図１のプレテンション方式によるプレストレス導入治具を構成する（Ａ）スリーブ、（Ｂ）クサビ、（Ｃ）キャップについての正面図および側面断面図、ならびに、（Ｄ）このプレストレス導入治具の組み合わせ順序を示す図および（Ｅ）このプレストレス導入治具の全体構造を示す図である。
【図３】図１のプレテンション方式によるプレストレス導入治具を用いてプレストレスを導入する手順を示す図である。
【発明を実施するための形態】
【００１６】
以下において、本発明の実施の形態に係るプレテンション方式によるプレストレス導入治具１０を、図面に基づき詳しく説明する。このプレストレス導入治具１０は、プレテンション方式によりコンクリート部材に圧縮力を導入するためにＰＣ鋼材に取り付ける治具であって、ＰＣ鋼材の軸方向に沿って、スリーブとクサビとキャップとを含んで構成され、単に導入治具と記載する場合、またはいずれも鋼製であることから単に鋼製治具と記載する場合がある。
【００１７】
まず、図１を参照して、プレストレストコンクリート製造工場内におけるプレテンション方式を用いたプレストレスト導入方法およびこのプレストレス導入治具１０の概略構成を説明する。
コンクリート部材へのプレテンション方式でのプレストレス導入方法は、従来技術で説明したように、テンションが付与されたＰＣ鋼材を埋め込むようにその周囲にコンクリートを打設して、コンクリート部材内に埋め込み配置されるＰＣ鋼材をコンクリートに定着させる形態である。この場合、ＰＣ鋼材の埋め込み箇所全長にわたってプレストレスを均一に導入することは困難であり、ＰＣ鋼材の定着部付近では、ＰＣ鋼材がコンクリート部材に定着するまでの範囲でプレストレス力が一定しないため、コンクリート部材内の定着端部から中央部方向に、たとえば、ＰＣ鋼材の直径Ｄの４５倍（４５Ｄ）〜６５倍（６５Ｄ）あるいは１００倍（１００Ｄ）の長い距離を、定着長Ｌとして確保することになる。
【００１８】
より詳しくは、図１に示すように、プレストレストコンクリート製造工場の床面に設置されたＰＣ鋼より線（ＰＣ鋼材）を緊張して止める台である２台の緊張ベンチ（アバットとも呼ばれる）の間にＰＣ鋼材を配置する。そして、このＰＣ鋼材を緊張設備（ジャッキ）で所定の緊張力まで緊張して定着する。このときに、従来技術ではクサビおよびスリーブのみが用いるが本実施の形態においてはこれらに加えて詳しくは後述するキャップも使用する。所定の緊張力まで緊張した後、その緊張状態を保持した状態で、鉄筋や型枠を組み立てて、コンクリートを打設する。そして、コンクリートが十分に固まった後に、緊張設備（ジャッキ）による緊張力を徐々に緩めることによりコンクリートにプレストレスを導入する。
【００１９】
ポストテンション方式の場合にはコンクリート部材の端部に設けた定着具を介して導入された圧縮力が集中的にコンクリート部材端部から伝達されてコンクリート部材全域にプレストレストが導入されることに対して、プレテンション方式の場合にはコンクリートとＰＣ鋼材とが互いに滑らないように界面の付着および摩擦力による定着することによりコンクリートにプレストレストが導入される。
【００２０】
そのため、プレテンション方式の場合には、ＰＣ鋼材がコンクリート部材に定着するまでの範囲で有効なプレストレスが見込めないため、定着端部から中央部方向に、たとえば、ＰＣ鋼材の直径Ｄの６５倍程度の長い距離を、定着長Ｌとして確保する必要がある。図１に示すように、ＰＣ鋼材の軸方向（長手方向）におけるＰＣ鋼材応力は、原点（ＰＣ鋼材の長手方向を示す横軸とＰＣ鋼材応力を示す縦軸との交点）を通り緩やかに上昇していくまたは緩やかに下降して原点を通る特性を示す。この特性において部材両端から定着長Ｌを除いた中央部分のＰＣ鋼材応力が一定の区間が、所定の緊張力が付与された区間である。なお、図１においては、従来技術における定着長Ｌは６５Ｄであって、そのＰＣ鋼材応力を点線で示す。
【００２１】
これに対して、本実施の形態に係るプレストレス導入治具１０を用いると、図１に示すように、定着長を大きく低減できるとともに、原点から緩やかな傾斜をもって上昇していくまたは緩やかに下降して原点を通る特性ではなく、原点から傾斜をほぼ有さないで縦軸に沿って上昇していくまたは縦軸に沿って下降していく特性となる。このため、本実施の形態に係るプレストレス導入治具１０を用いると、長い定着長を必要とするという従来技術における問題点を解決することができる。以下において、このプレストレス導入治具１０を、図２および図３を参照して、詳しく説明する。
【００２２】
このプレストレス導入治具１０を構成するスリーブ１００を図２（Ａ）に、クサビ２００を図２（Ｂ）に、キャップ３００を図２（Ｃ）に、それぞれ正面図および側面断面図を示す。また、このプレストレス導入治具１０の組み合わせ順序を図２（Ｄ）に、このプレストレス導入治具１０の全体構造を図２（Ｅ）に示す。
これらの図を参照して、このプレストレス導入治具１０は、上述したように、プレストレストコンクリートのプレテンション方式においてＰＣ鋼材４００に緊張力を導入する鋼製のプレストレス導入治具であって、ＰＣ鋼材４００の軸方向（長手方向）に沿って組み合わせられる、スリーブ１００とクサビ２００とキャップ３００とを大略的な構成要素として備える。このスリーブ１００は、外筒面１２０において、キャップ側に雄ねじ部１２２を備える。キャップ３００は、雄ねじ部１２２に螺合する雌ねじ部３１２を備えるとともに、クサビ２００に当接する当接端面３１４を備える。
【００２３】
さらに詳しくは、スリーブ１００は、略中空円筒形状であって、内筒面１１０に設けられＰＣ鋼材４００の軸方向に向かって漸次拡径するように傾斜する截頭円錐状の内側傾斜面１１２と、外筒面１２０に設けられた雄ねじ部１２２とを含む。また、スリーブ１００の内側傾斜面１１２の縮径側（クサビ２００が挿入される反対側であってキャップ３００側）には、互いに螺合する雄ねじ部１２２および雌ねじ部３１２の螺合状態を変化させるためにスリーブ１００を軸中心に（たとえばレンチを用いて）容易に回転させる切り欠き部１４０を外筒面１２０に備える。ここで、このスリーブ１００は、外筒面１２０に設けられた雄ねじ部１２２および切り欠き部１４０を有する以外は、通常のプレテンション方式に用いられるスリーブと同じである。また、本発明において、雄ねじ部１２２は必須構成であるものの切り欠き部１４０は必須構成でない。
【００２４】
次に、クサビ２００は、軸方向に垂直な面内において対称な断面を備える複数（ここでは４であるが２でもこれらの数以外であっても構わない）のクサビ片２１０を含み、クサビ片２１０は、截頭半円錐状の傾斜外面２１２を有するとともに断面円弧状の内面２１４を有する。このクサビ片２１０における傾斜外面２１２がスリーブ１００の内側傾斜面１１２に圧着され、クサビ片２１０における断面円弧状の内面２１４にＰＣ鋼材４００の外面が圧着されて、クサビ片２１０がＰＣ鋼材４００とスリーブ１００との間に圧入される。なお、このクサビ片２１０における断面円弧状の内面２１４にはＰＣ鋼材４００の外面との圧着を強固にするために内周面がたとえばねじ山状のギザギザ形状に加工された圧着部２１６に加工されていても構わない。すなわち、クサビ２００の軸方向に断面鋸歯状の噛み込み用粗面としているクサビ片２１０を用いることもできる。ここで、このスリーブ２００は、通常のプレテンション方式に用いられるスリーブと同じである。
【００２５】
キャップ３００は、略中空円筒形状であって、雄ねじ部１２２に螺合する雌ねじ部３１２を略中空円筒の内周面３１０におけるスリーブ１００側端面から所定の長さだけ（ここでは図２（Ｃ）に示す長さＸとする）備え、雌ねじ部３１２を備えない内周面３１０は中心にＰＣ鋼材４００が通る中心穴３５０を備えるとともにクサビ片２１０における拡径側の端面２１８に当接する当接端面３１４を備える。また、スリーブ１００の内側傾斜面１１２の縮径側（クサビ２００が挿入される反対側であってキャップ３００側）には、互いに螺合する雄ねじ部１２２および雌ねじ部３１２の螺合状態を変化させるためにスリーブ１００を軸中心に（たとえばレンチを用いて）容易に回転させる切り欠き部１４０を外筒面３２０に備える。
【００２６】
このキャップ３００は、略中空円筒形状におけるスリーブ１００と螺合する側とは逆の端部がその端面から所定の軸方向長さ分だけ軸に平行な第１面３４２で切り欠かれ、第１面３４２と軸を含む平面を対称面として切り欠かれた第２面３４４とを備えることにより切り欠き面３４０を備える。なお、この平面は、図２（Ｃ）においては２つの面で表されているが、スリーブ１００の外周面１２０に設けられた切り欠き部１４０のように４面であっても構わない。この切り欠き面３４０は、切り欠き部１４０と同様に、互いに螺合する雄ねじ部１２２および雌ねじ部３１２の螺合状態を変化させるためにスリーブ１００を軸中心に（たとえばレンチを用いて）容易に回転させるための構成である。
【００２７】
なお、スリーブ１００の縮径側端面１６０においてクサビ２００が当接する部分には、コンクリートよりも硬度が低い（ゴム等の）軟質部材１６２を設けることも好ましい。この軟質部材１６２を設けることにより、クサビ２００が柔らかい軟質部材１６２を押しつぶしてコンクリートへ進行することができるので、本実施の形態に係るプレストレス導入治具１０によりこのクサビ２００が効果的に定着できるので、定着長Ｌを低減することができる。
【００２８】
これらの構成を備えた、スリーブ１００、クサビ２００およびキャップ３００が図２（Ｄ）に示す順序で組み合わせられて本実施の形態に係るプレストレス導入治具１０となる。そして、スリーブ１００に設けられた貫通孔１５０、クサビ２００の貫通孔２５０（複数のクサビ片２１０を組み合わせたときの中心の空間部分）およびキャップ３００の貫通孔３５０に、図２（Ｅ）に示すようにＰＣ鋼材４００が挿通される。
【００２９】
以上のような構造を備える、本実施の形態に係るプレストレス導入治具１０を用いたプレテンション方式のプレストレスト導入方法について、図３を参照して詳しく説明する。
図３（Ａ）に示すように、コンクリート製造工場内において、ＰＣ鋼線４００にプレストレス導入治具１０を図２（Ｄ）に示す状態（雄ねじ部１２２および雌ねじ部３１２の螺合していない状態）でセットする。この状態が、図１において、従来技術のスリーブに代わるスリーブ１００と、従来技術には存在しないキャップ３００とが従来技術と同様のクサビ２００とともにＰＣ鋼線４００にセットされた状態である。この状態で、所定の緊張力を緊張設備（ジャッキ）でＰＣ鋼材４００に付与する。以下においては、緊張力を開放すると記載するまで、この所定の緊張力がＰＣ鋼材４００に付与され続ける。
【００３０】
次に、図３（Ｂ）に示すように、プレストレス導入治具１０のスリーブ１００の雄ねじ部１２２とキャップ３００の雌ねじ部３１２とを螺合させ始める。このとき、スリーブ１００の切り欠き部１４０および／またはキャップ３００の切り欠き面３４０をレンチ等の工具を用いて、雄ねじ部１２２と雌ねじ部３１２との螺合が進む方向に、スリーブ１００および／またはキャップ３００をＰＣ鋼材４００の軸方向を回転中心として回転させる。
【００３１】
次に、図３（Ｃ）に示すように、スリーブ１００および／またはキャップ３００をＰＣ鋼材４００の軸方向を回転中心として回転させることにより、プレストレス導入治具１０のスリーブ１００の雄ねじ部１２２とキャップ３００の雌ねじ部３１２との螺合状態が所定の状態（従来技術の長い定着長Ｌが必要という問題点が解決できる状態）になる。この状態を維持して、鉄筋や型枠を組み立てて、コンクリートを打設する。そして、コンクリートが十分に固まるまで放置する。
【００３２】
打設したコンクリートが十分に固まると、図３（Ｄ）および図３（Ｅ）に示すように、図３（Ａ）の状態から緊張設備（ジャッキ）によりＰＣ鋼材４００に付与され続けていた所定の緊張力を徐々に開放して、コンクリートにプレストレスを導入する。図３（Ｄ）が本実施の形態に係るプレストレス導入治具１０がクサビ２００により効果的にＰＣ鋼材に固定できている状態を示し、図３（Ｅ）が本実施の形態に係るプレストレス導入治具１０のクサビ２００がプレストレス導入時に更にスリーブ１００に食い込みが生じ、その食い込んで移動した分だけＰＣ鋼材の当初の伸びが戻ろうとする力をＰＣ鋼材とコンクリートの界面の付着および摩擦力で抵抗することになり、結果として上述の（Ｄ）に比べると定着長Ｌが長くなる状態を示す。
【００３３】
これらの図３（Ｄ）および図３（Ｅ）を参照して、本実施の形態に係るプレストレス導入治具１０の作用効果について説明する。
図３（Ｄ）に示すように、（図３（Ｃ）に示した状態において）スリーブ１００および／またはキャップ３００をＰＣ鋼材４００の軸方向を回転中心として十分に回転させてプレストレス導入治具１０のスリーブ１００の雄ねじ部１２２とキャップ３００の雌ねじ部３１２との螺合状態が所定の状態になっていると、プレストレス導入時にクサビ２００がスリーブ１００に食い込まないので（クサビ２００が効果的に定着しているので）、定着具（スリーブ１００およびクサビ２００）の支圧反力が効果的に作用して（定着具に付した図３（Ｄ）に示す黒塗り矢示の大きさが図３（Ｅ）に示す白塗り矢示よりも大きく）、定着長Ｌを図１の実線で示すように低減することができ、その結果、従来技術の長い定着長Ｌが必要という問題点が解決できる。このとき、定着長Ｌを大きく低減できるとともに、原点から緩やかな傾斜をもって上昇していくまたは緩やかに下降して原点を通る特性ではなく、原点から傾斜をほぼ有さないで縦軸に沿って上昇していくまたは縦軸に沿って下降していく好ましい特性を実現することができる。さらに、本実施の形態に係るプレストレス導入治具１０を使用することにより、定量的に回転量（トルクレンチなど）により管理できるため、適切な施工を実施することができる。
【００３４】
一方、図３（Ｅ）に示すように、（図３（Ｃ）に示した状態において）スリーブ１００および／またはキャップ３００をＰＣ鋼材４００の軸方向を回転中心として十分に回転させてプレストレス導入治具１０のスリーブ１００の雄ねじ部１２２とキャップ３００の雌ねじ部３１２との螺合状態が所定の状態になっていない場合には、プレストレス導入時にクサビ２００がスリーブ１００に食い込んでしまう。このクサビ２００がスリーブ１００に食い込んで移動した分は、コンクリートとＰＣ鋼材の界面の付着および摩擦力で担保すること（補うこと）になる。この場合、ＰＣ鋼材応力の特性は、原点付近での急な上昇もしくは下降の程度が（Ｄ）に比べて減少するため、その差異分をコンクリートとＰＣ鋼材との付着及び摩擦力で負担することとなり、（Ｄ）より定着長Ｌは長くなる。
【００３５】
したがって、本実施の形態に係るプレストレス導入治具を効果的に使用するには、治具を設置する際のクサビによるＰＣ鋼材の固定度が定着性能に影響を及ぼすため、必要な締付量の把握と適切な管理が必要である。
以上のようにして、本実施の形態に係るプレストレス導入治具によると、大型の緊張器具を用いなくても定着を可能とする小型の治具で、スリーブから所定の設計上のプレストレスが導入された部分までの定着長Ｌを短くすることができる。
【００３６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、本発明に係るプレストレス導入治具１０は、上述したように定着部１箇所について１個セットすることに限定されるものではなく、定着部１箇所について複数個セットするようにしても構わない。また、本発明に係るプレストレス導入治具１０のスリーブ１００の雄ねじ部１２２とキャップ３００の雌ねじ部３１２とを螺合させる際には、ＰＣ鋼より線（ＰＣ鋼材４００）のよりが戻らない方向（ねじる方向）に回転させることが好ましい。
【産業上の利用可能性】
【００３７】
本発明は、プレストレストコンクリートのプレテンション方式において緊張力を導入するプレストレス導入治具に好ましく、大型の緊張器具を用いなくても定着可能な小型の治具で、スリーブから所定の設計上のプレストレスが導入された部分までの定着長を短くすることのできる点で特に好ましい。
【符号の説明】
【００３８】
１０  プレストレス導入治具
１００  スリーブ
２００  クサビ
３００  キャップ
【図１】
2019181704.tif 000003
【図２】
2019181704.tif 000004
【図３】
2019181704.tif 000005